(57)【要約】  システム内で自動的な同期を実行するように動作可能なシステムが設けられる。該システムは、第１データセットを格納する第１データメモリ２０を有し、該第１メモリ２０は、通信ネットワーク１０に結合される。システムは、更に、第２データセットを格納する第２データメモリ１３０を含む携帯用装置１００を有し、該携帯用装置は、無線トランシーバ１５０を備え、該無線トランシーバ１５０は、第１データセットと第２データセットとを相互に整合させて同期することが必要とされる同期更新の記録を格納するデータメモリ３２０を含む。該トランシーバ１５０は、前記第１データセットと第２データセットとを少なくとも部分的に自動的に同期するために、通信ネットワーク１０、３０ａの通信範囲内に、携帯用装置１００とともに導入されるときに動作可能である。
2008536344.tif 000002
【特許請求の範囲】
【請求項１】
内部で自動同期を実行するように動作可能なシステムであって、該システムが、
（ａ）通信経路に結合され、第１データセットを格納する第１データメモリと、
（ｂ）第２データセットを格納する第２データメモリを含む携帯用装置であって、該携帯用装置がトランシーバを備え、該トランシーバが、前記第１データセットと前記第２データセットとを相互に整合させて同期するために必要とされる同期更新の記録を格納するデータメモリを含む携帯用装置と、
を有するシステムにおいて、
前記トランシーバは、少なくとも部分的に自動的に前記第１データセットと第２データセットとを同期させるために、前記通信経路の通信範囲内に前記携帯用装置と共に導入されるときに動作可能である
システム。
【請求項２】
前記トランシーバが、無線周波数タグを有し、該タグは、前記第１データセットと第２データセットとの間のデータ同期を監督及びサポートするために、前記装置に対して自律的に機能するように構成され得る、請求項１に記載のシステム。
【請求項３】
前記携帯用装置がスイッチオフ状態にあるとき、前記トランシーバが、前記第１データセットと第２データセットとの相互の同期をサポートするように動作可能であるように、前記トランシーバの前記データメモリは不揮発性メモリとして実現される、請求項１に記載のシステム。
【請求項４】
前記無線トランシーバが、前記携帯用装置と前記第１データメモリとの間でデータを運ぶデータ担体に組み込まれ、前記トランシーバが、前記第１データセットと第２データセットとの間の同期を監督するように動作可能であり、前記データ担体が、前記トランシーバにより決定されると、前記携帯用装置と前記第１データメモリとの間で同期データオブジェクトを運ぶように動作可能である、請求項１に記載のシステム。
【請求項５】
前記データ担体が、光データディスクであり、前記トランシーバが、前記ディスクに一体化して組み込まれる無線周波数タグとして実現される、請求項４に記載のシステム。
【請求項６】
前記第１データメモリ及び当該データメモリの関連通信経路が、通信ネットワークに結合されるデータサーバを有する、請求項１に記載のシステム。
【請求項７】
前記携帯用装置が、前記装置のユーザに対して、待ち状態の同期オペレーション及びそれらの相対的な優先順位の表示を示すためのユーザインタフェースを備える、請求項１に記載のシステム。
【請求項８】
前記携帯用装置が、待ち状態の同期オペレーションの表示を前記装置のユーザに示すユーザインタフェースを備え、前記インタフェースは、所定の数より多くのデータオブジェクトが前記第１データセットと第２データセットとの間の同期に対して待ち状態にあるとき、前記ユーザに警告するアラームを有する、請求項１に記載のシステム。
【請求項９】
前記携帯用装置が、前記トランシーバに適当であるデータを入力するユーザインタフェースを備え、前記ユーザインタフェースが、キーパッド、スタイラスパッド、マイクロフォン、ピクセルカメラ、磁気リーダ、光データディスクリーダ、磁気ディスクリーダ、磁気ストリップリーダ及び光学スキャンリーダの少なくとも１つを含む、請求項１に記載のシステム。
【請求項１０】
前記携帯用装置が、個人データアシスタント、携帯電話、モバイルコンピュータ、産業用携帯データ入力端末、電子ゲーム、携帯用現金支払い端末、携帯音楽プレーヤ、携帯ビデオプレーヤ及びＧＰＳ端末の１以上であるように実現される、請求項１に記載のシステム。
【請求項１１】
前記トランシーバが、前記第１データセットと第２データセットとの間の同時双方向的な同期を実施するように動作可能である、請求項１に記載のシステム。
【請求項１２】
前記無線周波数タグが、前記装置から取り外し可能である、請求項２に記載のシステム。
【請求項１３】
システム内の自動同期を実施する方法であって、
（ａ）通信経路に結合され、第１データセットを格納する第１データメモリを構成するステップと、
（ｂ）第２データセットを格納する第２データメモリを含むように、携帯用装置を構成するステップと、
（ｃ）データメモリを含むトランシーバを前記携帯用装置に設けるステップと、
（ｄ）前記第１データセットと第２データセットとを相互に整合させて同期するために必要とされる同期更新の記録を格納するステップと、
（ｅ）少なくとも部分的に自動的に前記第１データセットと第２データセットとを同期するために、前記携帯用装置と前記トランシーバとを一緒に、前記通信経路の通信範囲内に導入するステップと、
を有する方法。
【請求項１４】
第２データセットを格納する第２データメモリを含む携帯用装置であって、該携帯用装置が無線トランシーバを備え、該無線トランシーバが、前記第２データセットを第１データセットと相互に整合させて同期するために必要とされる同期更新の記録を格納するデータメモリを含み、前記第１データセットが、通信経路に結合された第１データメモリに格納され、前記トランシーバが、少なくとも部分的に自動的に前記第１データセットと第２データセットとを同期するために、前記通信経路の通信範囲内に前記携帯用装置と共に導入されるとき、動作可能である携帯用装置。
【請求項１５】
請求項１４に記載の装置に含むトランシーバであって、該トランシーバが、前記装置から遠隔に格納されたデータセットを、前記装置の自動同期を監督するように該トランシーバに位置するメモリを含むトランシーバ。
【請求項１６】
前記装置と自律して動作可能な無線周波数タグとして実現される、請求項１５に記載のトランシーバ。
【請求項１７】
請求項１３に記載の方法に従って、システム内の自動データ同期を実行するために、請求項１に記載のシステムで実行可能なソフトウェア。
【請求項１８】
内部に一体化して無線トランシーバを備えるデータ担体であって、該トランシーバが、データ同期を監督するために該トランシーバに位置するデータメモリで構成され、前記データ担体が、自動同期を実施するために必要とされる１以上のデータオブジェクトを運ぶデータ担体。
【発明の詳細な説明】
【技術分野】
【０００１】
本発明は、データを自動的に同期させる方法に関する。更に、本発明は、データを自動的に同期させるときに該方法を使用するように動作可能な機器及び装置にも関する。更に、本発明は、該方法を実現するための電算処理ハードウェア上で実行可能なソフトウェアにも関する。
【背景技術】
【０００２】
各々がデータのセットを備える複数の装置又はシステムがあり、複数のセットのデータが、相互に整合性を保つように維持されるべきであり、複数の装置又はシステム間の通信が断続的であるとき、データ同期の問題が生じる。データのセットの１つが更新され、一方、他のセットのデータが、データの同期が実行されるまで更新されないままである状況が生じ得る。
同期は、
（ａ）同期されるべきデータの量が比較的多いことと、
（ｂ）同期目的の装置又はシステム間の通信バンド幅が比較的制限されることと、
の少なくとも１つの場合、時間のかかるものであることが現在分かっている。
【０００３】
更に、同期は、例えば同期データを取り扱うハードディスクドライブのようなメモリストレージのために、関連する所与のシステム若しくは装置が中断されるか、又は同期の間にユーザに対して部分的にのみ利用可能となるようにすることもできる。
【０００４】
データ同期と関連された技術的な問題が知られる。例えば、公開された米国特許出願番号ＵＳ２００２／０１４７６６０は、バーコード入力を使用する、個人モバイルコンピュータによるイベントのスケジューリング、トラッキング及び同期に関する。本願は、ハンドヘルドユニットになるように設計されるとともに、バーコードリーダを内蔵するモバイルコンピュータを記載する。更に、コンピュータは、コンピュータユニットの１又はそれより多くの側にトリガスイッチを内蔵しており、該スイッチは、前記バーコードリーダを活性化するためにユーザにより押され得る。該コンピュータは、選択的に更に、マイクロフォン、スピーカ、ファンクションキー、及びタッチスクリーンディスプレイを含む。動作では、コンピュータは、内部記憶されたユーザ識別情報を有し、コンピュータは、バーコード記号を読み取り、バーコード記号から読み取られたデータを処理し、メッセージを生成するようにユーザ識別情報と共にデータをアセンブルし、ネットワークに含まれるレジストリサーバに従ってネットワークに接続された無線通信リンクを介して、自動的に前記メッセージを送信するために、当該コンピュータのユーザにより使用され、前記レジストリサーバは、記号データ及びユーザ識別情報をスケジューリング及びトラッキングするように動作可能である。後にユーザがサーバにコンタクトするとき、モバイルコンピュータは、該コンピュータがネットワークと最後に通信して以来起きた処理に基づいて、レジストリサーバからの新たなデータで同期されるか、又は更新される。
【発明の開示】
【発明が解決しようとする課題】
【０００５】
本発明の目的は、ユーザに対して少ない中断しか起こし得ない、データを同期させる方法を提供することである。
【課題を解決するための手段】
【０００６】
本発明の第1の態様によると、自動的な同期を実行するように動作可能なシステムが提供され、該システムは、
（ａ）通信経路と結合され、第１データセットを格納する第１データメモリと、
（ｂ）第２データセットを格納する第２データメモリを含む携帯用装置であって、該携帯用装置は、トランシーバを備え、該トランシーバは、第１データセットと第２データセットとを相互に整合させて同期するために必要とされる、同期更新の記録を格納するデータメモリを含む、携帯用装置と、
を有し、
無線トランシーバは、少なくとも部分的に前記第１データセットと第２データセットとを自動的に同期するために、携帯用装置と共に通信経路の通信範囲内に導入されるときに、動作可能である。
【０００７】
本発明は、データ同期がより容易且つ簡便に達成されるという点で有利である。
【０００８】
例えば、システムは、自動的に、したがってユーザに対してトランスペアレントに同期の緊急性を決定することができ、これにより、システムのユーザは、どのデータがまだ同期されていないデータと整合性を保っていないかについて決定するか、又は対処する可能性は減少される。
【０００９】
選択的に、システムにおいて、トランシーバが無線であり、及び／又は、無線周波数タグを有し、前記タグが、第１のデータセットと第２データセットとの間のデータ同期を監督するとともにサポートするための装置に対して自律的に機能するように構成可能である。タグは、システムの電子部品を物理的に一緒に接続する必要なく、システム内でデータの同期を実行するときに便利である、システム内の非接触通信を提供することができる。
【００１０】
選択的に、システムにおいて、トランシーバのデータメモリが不揮発性メモリとして実現されるので、前記トランシーバは、携帯用装置がスイッチオフ状態にあるとき、第１データセットと第２データセットとの相互の同期をサポートするように動作可能である。このような動作により、同期は、装置が少なくとも部分的に電源オフされている間、例えばユーザが装置を使用していない夜において、達成され得る。
【００１１】
選択的に、システムにおいて、無線トランシーバは、携帯用装置と第１データメモリとの間でデータを伝えるためのデータ担体に組み込まれ、前記トランシーバは、第１データセットと第２データセットとの間の同期を監督するように動作可能であり、前記データ担体は、トランシーバにより決定されると、携帯用装置と第１データメモリとの間の同期データオブジェクトを運ぶように動作可能である。装置内のトランシーバの組み込みは、取り扱わなければならない個々の部分がより少ないという点でユーザにとって有益である。
【００１２】
選択的に、システム内の代替として、データ担体は、光データディスクであり、無線トランシーバは、該ディスクに一体的に組み込まれた無線周波数タグとして実現される。このような配置は、より多くの量のデータが、装置と第１データメモリとの間で転送される場合、特に都合よく且つ効果的である。光ディスクは、固体メモリカードで補われるか、又は固体メモリカードが、光ディスクの代替として使用され得る。
【００１３】
選択的に、システムにおいて、第１データメモリ及びその関連付けられた通信経路は、通信ネットワークに結合されたデータサーバを有する。有利なことに、このようなネットワークは、インターネットになる。
【００１４】
選択的に、システムにおいて、携帯用装置は、装置のユーザに対して待ち状態の同期動作及びそれらの相対的な優先順位の表示を示すためのユーザインタフェースを備える。インタフェースを備えることは、ユーザが少なくとも部分的に、もし所望であれば、データの同期を監督するために介入することを可能にする。個人的な好みは、同期の優先順位をつけるか、又は、同期の必要を決定するために採用することもできる。例えば、もしポップソングが利用可能になるならば、ユーザにとってあまり関心のない古いポップソングに関するデータを同期させるよりも、新たなポップソングをダウンロードするためにデータを同期することがユーザの好みだろう。
【００１５】
選択的に、システムにおいて、携帯用装置は、装置のユーザに対して待ち状態の同期動作の表示を示すユーザインタフェースを備え、該インタフェースは、所定の数より多くのデータオブジェクトが第１データセットと第２データセットとの間の同期に対して待ち状態であるとき、ユーザに警告するアラームを有する。このような警告は、第１データセットと第２データセットとが、ほとんど同期がない結果相互に逸脱するときに、装置が誤動作することを防止するように、補助することができる。警告は、選択的に、所与のソフトウェアアプリケーション及び同期の整合性を保証するためのその差し迫った必要性に依存する。
【００１６】
選択的に、システムにおいて、携帯用装置は、無線トランシーバに関連してデータを入力するユーザインタフェースを備え、該ユーザインタフェースは、キーパッド、スタイラスパッド、マイクロフォン、ピクセルカメラ、磁気リーダ、光データディスクリーダ、磁気ディスクリーダ、磁気ストリップリーダ、光学スキャニングリーダの少なくとも１つを含む。
【００１７】
選択的に、システムにおいて、携帯用装置は、個人データアシスタント（ＰＤＡ）、携帯電話、モバイルコンピュータ、産業用携帯データ入力端末、電子ゲーム、携帯用現金支払い端末、携帯用音楽プレーヤ、携帯ビデオプレーヤ、ＧＰＳ端末のうちの１又はそれより多くとなるように実現される。
【００１８】
選択的に、システムにおいて、無線トランシーバは、第１データセットと第２データセットとの間の同時双方向同期を実行するように動作可能である。このような双方向的な同期は、第１データセットと第２データセットとの両方が相互に更新される必要のあるときに、特に効率的且つ高速のデータ同期を可能にする。
【００１９】
選択的に、システムにおいて、無線周波数タグは、装置から取り外し可能である。このような構成は、いくつかの異なるタイプのＲＦタグが、装置を複数の異なるシステムに同期させるために使用されることを可能にする。
【００２０】
本発明の第２の態様によると、システム内での自動的な同期を実施する方法が提供され、該方法は、
（ａ）第１データセットを格納する、通信経路に結合された前記第１データメモリを構成するステップと、
（ｂ）第２データセットを格納する第２データメモリを含むように携帯用装置を構成するステップと、
（ｃ）前記携帯用装置に対して、データメモリを含む無線トランシーバを供給するステップと、
（ｄ）前記第１データセットと第２データセットとを相互に整合させて同期するために必要とされる同期更新の記録を格納するステップと、
（ｅ）少なくとも部分的に自動的に前記第１データセットと第２データセットとを同期するように、通信経路の通信範囲内で、携帯用装置及び無線トランシーバを共に導入するステップと
を有する。
【００２１】
本発明の第３の態様によれば、第２データセットを格納する第２データメモリを含む携帯用装置が設けられ、該携帯用装置は、無線トランシーバを備え、該トランシーバは、第１データセットと相互に整合させて前記第２データセットを同期させるために必要とされる同期更新の記録を格納するデータメモリを含み、前記第１データセットは、通信経路に結合された第１データメモリに格納され、無線トランシーバは、少なくとも部分的に自動的に前記第１データセットと第２データセットとを同期するために、通信経路の通信範囲内で携帯用装置と共に導入されるときに動作可能である。
【００２２】
本発明の第４の態様によると、本発明の第４の態様による装置に含まれるように無線トランシーバが設けられ、該トランシーバは、前記装置から離れて格納されるデータセットとの、前記装置の自動同期を監督するように構成され、トランシーバに対してローカルなメモリを含む。
【００２３】
選択的に、無線トランシーバは、無線周波数タグとして実現され、該タグは、前記装置に対して自律的に動作可能である。
【００２４】
本発明の第５の態様によると、本発明の第２の態様による方法に従って、自動的なデータの同期を実施するために、本発明の第１の態様によるシステム内で実行可能なソフトウェアが設けられる。
【００２５】
本発明の第６の態様によると、無線トランシーバを内蔵するデータ担体が設けられ、該無線トランシーバは、データ同期を監督するためにデータメモリで構成され、該データ担体が、自動的な同期の実施に必要とされる１以上のデータオブジェクトを運ぶように構成可能である。
【００２６】
本発明の特徴は、本発明の範囲から逸脱することなく、いかなる組合せでも組み合わせることができる。
【００２７】
本発明の実施例は、以下の図を参照して、単に例によって記載されるだろう。
【発明を実施するための最良の形態】
【００２８】
図１を参照すると、ネットワーク１０と携帯用装置１００との間で自動的にデータを同期するように動作可能なシステムが示される。ネットワーク１０は、データサーバ２０を有し、該サーバは、データの中でもとりわけ、該サーバに格納された第１セットのデータを含む。更に、ネットワーク１０は、少なくとも部分的に相互接続されたノード３０の分散された構成を含む。ネットワーク１０は、他のネットワーク構成も可能であるが、例えばインターネットに対応し得る。ノード３０の１つ、すなわちノード３０ａは、双方向的な無線通信５０を携帯用装置１００に提供する、無線トランシーバ４０を備える。
【００２９】
携帯用装置１００は、装置１００の非常に多くの他の実現例も可能であるが、個人データアシスタント（ＰＤＡ）、携帯電話、モバイルコンピュータ、産業用携帯データ端末、電子ゲーム、現金支払い端末、全地球測位システム（ＧＰＳ）携帯又は車載端末として実現されることが可能である。装置１００は、装置１００のユーザ２００に画像を示すためのピクセルディスプレイ１２０に結合されたプロセッサ１１０を含む。一般的なディスプレイ、例えばピクセル液晶ディスプレイ（ＬＣＤ）が、ディスプレイ１２０を実現するために使用されることが可能である。装置１００は、更に、第２セットのデータを格納するデータストレージメモリ１３０を含み、該ストレージメモリ１３０は、プロセッサ１１０に結合される。更に、装置１００は、キーパッド、スタイラスパッド、マイクロフォン、ピクセルカメラ、磁気リーダ、光データディスクリーダ、磁気ディスクリーダ、及び光学スキャンリーダ、並びに類似のタイプのデータ入力又はセンサの１以上を含むように実現することができるデータ入力ユニット１４０を含む。装置１００からネットワーク１０への通信経路を提供するために、装置１００は、ノード３０ａの無線トランシーバ４０へ無線通信を提供するための、関連付けられたアンテナ１６０、例えばスタブ又はパッチアンテナを含む無線周波数（ＲＦ）タグ１５０を含むか、又は、例えばオプションで後からつけるコンポーネントとしてＲＦタグ１５０と関連付けられる。選択的に、装置１００は、更に、ノード３０ａと装置１００との間のデータの高速伝送のための直接の物理的な接続部６０を、例えばＲＦタグ１５０を介して、若しくはプロセッサ１１０に直接設けるか、又はその両方により設ける。
【００３０】
ＲＦタグ１５０は、図２でより詳細に説明され、タグ１５０は、データ処理を実行するように動作可能なプロセッサと共に、アンテナ１６０からの信号を出力及び受信するＲＦ回路を含む電子モジュール３００に結合された上記アンテナ１６０を含む。更に、タグ１５０は、装置１００から導き出される電源３１０を含むか、又は例えばタグ１５０が、装置１００に対して後付け取り外し可能なオプションであるように実現されるとき、装置１００から独立して電源３１０を含み、例えば電源３１０は、読み込みＲＦ電力部から導き出され得る。更に、ＲＦタグ１５０は、電子モジュール３００に結合されたデータメモリ３２０を含み、該データメモリ３２０は、固体電子コンポーネントを用いて有利に実現される。
【００３１】
装置１００及びネットワーク１０の動作は、この場合、図１に関して記載されるだろう。データサーバ２０及びストレージメモリ１３０にそれぞれ格納された上記の第１データセットと第２データセットとが、同期されるべきである。ネットワーク１０及び装置１００のオペレータ又は設計者が、情報コンテンツ、例えばパラメータの重要なリスト、郵便の宛先、電話番号、ソフトウェアアプリケーション、カレンダーの詳細、地理的な地図の詳細、商品価格リスト、エンタテイメントデータ（ＡＶ）等の相互対応をとることが望ましいと考える場合、このような同期は、構造上同一であるが、単に、同一の情報を有する第１データセットと第２データセットとに限定されない。装置１００は、時として、ネットワーク１０へのＲＦタグ１５０を介した無線通信が、実現可能され得ないほど、ネットワーク１０から離れている位置でオペレータ２００により運ばれると共に操作され、このような期間に、サーバ２０に記憶された第１データセットが更新されることが可能であり、例えばソフトウェアアップグレード、新たな価格リスト、新たなカタログリスト、郵便の宛先が、加えられるか又は修正されることが可能である。更に、ストレージメモリ１３０に記憶された第２データセットが、例えばデータ入力ユニット１４０を介して更新されることも可能である。装置１００が従来の装置である場合、装置１００とネットワーク１０との間の後続する通信により、第１データセットと第２データセットとを相互に整合させるための後続の同期の間、装置１００はユーザ２００に対して、あまり利用可能でなくなるか、又はことによると利用不可能になるであろう。
【００３２】
発明者らは、概して携帯用装置の同期が扱いにくいものであり得ることを認識している。従来、携帯用装置は、装置及びシステムホストが、装置に対してホストから及び／又は装置からホストへ利用可能な新たなデータに関して通信するように、ネットワークに接続され、例えば有線若しくは無線のイーサネット（登録商標）又はユニバーサルシリアルバス（ＵＳＢ）を介して、システムホストに接続される必要がある。比較的多量のデータが通信される必要のあるとき、このような同期は、実行されるために比較的長い時間を要し得る。したがって、現行の同期手順は、ユーザの努力を必要とし、時間のかかるものである。更に、同期は、装置が携帯可能で、小型の関連する電源、例えば再充電可能バッテリ又は使い捨ての小型ボタンセルを備えるとき、過酷な負荷を表し得るエネルギーを費やす。
【００３３】
図１に図示されたシステムでは、ネットワーク１０と装置１００との間で通信されるデータの量を減少させるプロトコルが採用される。更に、ＲＦタグ１５０を含めることは、装置１００とネットワーク１０との間の直接の物理的接続をする必要性をともすれば回避する。データ担体は、以下で更に明らかにされるように、ネットワーク１０と装置１００との間に設けられる。このデータ担体は、ＲＦタグ１５０自身によって、又はデータ媒体、例えば光データストレージディスクによって実現することができる。
【００３４】
一動作プロトコルでは、ネットワーク１０は、ユーザ２００が、好都合なときに、データ入力ユニット１４０が問合せをするように、装置１００に挿入するデータ媒体、例えば光データディスクに装置１００に対する更新を記録するために、サーバ２０を使用する。このような態様で、装置１００の第２データセットは、サーバ２０に格納された第１データセットに同期して更新され得る。装置１００は、データ媒体からのデータを読み込むとすぐに、第１データセットと同時に、第２セットのデータを更新する。データ担体に供給された更新は、失効時／日を備えることができ、該失効時／日の後、データ媒体は、失効していると見なされ、再利用のために消されるか、使い捨てられるか、又は、そうでなければ廃棄されることがあり得る。逆に、装置１００が、サーバ２０を更新するために必要とされるとき、データ媒体は、サーバ２０における第１データセットを更新するために、第２データセットから得られる情報を運ぶために使用される。
【００３５】
他の動作プロトコルでは、ＲＦタグ１５０は、ネットワーク１０と装置１００との間でデータを運ぶために採用される。装置１００はそのとき、装置１００で第２データセットを更新するように、第１データセットに対する変化に関する更新を受信するため、ノード３０ａ付近、すなわちＲＦタグ１５０のＲＦ動作範囲内に位置されることを必要とする。ネットワーク１０から、例えばサーバ２０から、装置１００にデータを運ぶとき、ＲＦタグ１５０は、サーバ２０から外部的にアクティベートされ、更新は、タグ１５０に伝送され、ＲＦタグ１５０が、装置１００に含まれる残りのコンポーネントに対して独立に通電されるとき、このような更新は、装置１００自身のエネルギーを消費しない。好ましくは、ＲＦタグ１５０が装置１００の残りに対して独立して給電されるとき、装置１００が使用のためにアクティベートされるとすぐに、同期は、行われる。
【００３６】
したがって、装置１００を実現するとき、ＲＦタグ１５０に対してローカルなデータメモリ、すなわちデータメモリ３２０を備えるＲＦタグ１５０を使用することが有益である。タグ１５０のメモリ３２０は、不揮発性キャッシュとして機能することができる。更に、同期を実施するためにＲＦタグ１５０を採用することは、装置１００のネットワーク１０への同期及びその逆が、ユーザの介入を伴うことなしに、すなわち自動的に実施することができるという点で有益である。例えば、装置１００がユーザ２００に役立つようにアクティブにされる必要のない夜の間に、同期する目的で選択されたデータの転送が、ＲＦタグ１５０を介して通信することができる。
【００３７】
本発明を実施するときにＲＦタグ１５０は装置１００から独立して機能することができるが、それにも関わらず装置１００の論理部分であることが有益であり、例えば前に明らかにされたように、ＲＦタグ１５０は、装置１００に対して取り外し可能なアドオンコンポーネントとして、実現することができる。第２プロトコルは、ＲＦタグ１５０に例えばソフトウェアのどの更新版がストレージメモリ１３０の第２データセットに記憶されるかを示す装置１００の最も新しい状態の表示が装置１００から供給されるように構成される。このような表示は、例えば、ＲＦタグ１５０が装置１００に取り付けられるときに、装置１００からそのＲＦタグ１５０に伝送され、装置１００が続いてスイッチオンされるときに、装置１００の状態の上記表示の機能として、データの実際の同期が第１データセットと第２データセットとの間で起きる。
【００３８】
選択的に、装置１００がスイッチオフされ、ノード３０ａと関連されたＲＦ伝送領域の近く、例えば装置１００を受信するように設計されたクレードル内に位置されるとき、同期の準備をしたデータの伝送が起きるように、ＲＦタグ１５０は、装置１００の一体部分になる。
【００３９】
更なる選択的に、ＲＦタグ１５０は、物理的に上記データ媒体の一部、例えば図３に図示されたような光ディスクデータ担体４００であり得る。図３では、ＲＦタグ１５０は、データ担体４００の一体部分であり、該ＲＦタグ１５０は、アンテナ１６０を実現するように薄い金属膜を使用するように構成される。好ましくは、ＲＦタグ１５０は、いくつかの安定した態様でデータ担体４００に取り付けられ、例えば該担体４００内に成形される。このような実施例では、データ入力１４０は、データを光ディスク４００から読み込むとともにデータを光ディスク４００に書き込むことができる。ディスク４００に格納されたデータは、ディスク４００がアクセスされる前ではなく、アクセスされるとすぐに更新され、このような動作の手順は、ＲＦタグ１５０のデータがディスク４００の前に更新され、これにより必要のないディスク４００の更新が避けられ、同期時間及び同期の間に消費されるエネルギーが低減されるという点で有益である。
【００４０】
ネットワーク１０及び装置１００の第１及び第２データセットそれぞれのより拡張的な同期をサポートすることは別として、ＲＦタグ１５０は、例えば第１データセットと第２データセットとの１以上に記録を固定することと組み合わせて、同期が必要とされることをユーザ２００に警告するように使用することもできる。ＲＦタグ１５０内のローカルデータメモリ空間が制限されるか、又は、第１データセットと第２データセットとの間の実質的な同期更新が必要とされるとき、このような固定は、特に有益である。ＲＦタグは、これにより、第１データセットと第２データセットとの発散を回避し、誤り、デッドロック及び故障を回避することができる。
【００４１】
本発明の一実施例では、ネットワーク１０は、歌に対応するデータオブジェクトを通信する歌配信ネットワークに対応する。装置１００は、有益にはＭＰ３タイプの携帯用デジタル音楽プレーヤである。新曲に対応するデータが、第１データセットを補完するために、ネットワーク１０のサーバ２０に間隔をおいてロードされる。更に、周期的に、古い（時代遅れの）歌に対応するデータオブジェクトは、サーバ２００で格納された第１データセットから取り除かれる。サーバ２０から装置１００に第１データセットをダウンロードすることは、主に時間のかかるタスクだろう。このようなタスクは、同期により回避され、ＲＦタグ１５０は、サーバ２０に最も新しくロードされ、且つ、まだメモリストレージ１３０に記録されていない新曲のみが、同期時に伝送されるということを保証するために、ストレージメモリ１３０に格納された歌の記録を維持し、ノード３０ａと装置１００との間を結びつける。個人的な好みは、データ同期の優先順位を決定することを可能にし、例えばユーザにより所望されるポップソングは、ユーザ２００にとって比較的関心の低い古い歌よりも、同期に対してより高く優先順位付けをすることができる。
【００４２】
ＲＦタグ１５０に適切な上記第２プロトコルでは、第１データセットと第２データセットとを同期するために、所定の数よりも多くの更新がなされないままであるイベントにおいて、ユーザ２００が所与の環境、例えばオフィスを離れるときに、視覚的及び／又は聴覚的な警告は、ユーザ２００に提供される。更新がなされないことの記録は、ＲＦタグ１５０と関連されたデータメモリに有益に格納される。
【００４３】
装置１００は、プロセッサ１１０でソフトウェアアプリケーションを実行する開始時に、ソフトウェアアプリケーションがアクセスする必要のある、装置１００内に記憶されたデータ又はアプリケーション自身に対して、更新がなされないままであるかどうかを、ＲＦタグ１５０で調べるようにも、有益に構成される。このような警告は、有益には、聴覚的なアラーム若しくは視覚的なアラーム又はその両方により実現される。
【００４４】
装置１００は、選択的に、もしプロセッサ１１０がＲＦタグ１５０から、サーバ２０からの所定の数より多くの更新がなされないままであることを決定するならば、プロセッサ１１０がそこで実行するソフトウェアアプリケーションをシャットダウンするように動作可能であるような構成にすることもできる。プロセッサ１１０のこのような介入は、プロセッサ１１０が、ユーザ２００をいらいらさせる機能不良、例えば「クラッシュ」を起こし得るようなソフトウェアアプリケーション及びデータの不適切な組合せを、装置１００が実行するのを避けられるという点で有益である。
【００４５】
選択的に、ネットワーク１０及び装置１００は、例えばＲＦタグ１５０を介してその間でメタデータを伝送するように構成することができる。このようなメタデータは、対応するデータが、サーバ２０からノード３０ａを介して、このようなプログラムコンテンツがストレージメモリ１３０に既に存在しない装置１００にダウンロードされるように、装置１００からネットワーク１０にプログラムコンテンツの次の好ましい選択を伝達するため及びユーザの選択のためのプログラムコンテンツリストをディスプレイ１２０上でユーザ２００に対して見せるように使用することができる。有益には、ＲＦタグ１５０は、データ媒体、例えば光データストレージディスクと一体化され、装置１００とネットワーク１０のノード３０ａとの間のデータディスクの物理的な移動は、同期の目的で使用され得る。
【００４６】
有益には、ＲＦタグ１５０は、同期する目的で複数のレベルの待ち状態の更新を取り扱うように構成可能である。このような複数のレベルの一例は、
（ａ）サーバ２０に格納された第１データセットが更新を必要とするか否か決定するために、システムに情報を転送するステップと、
（ｂ）ネットワーク１０からＲＦタグ１５０に更新の必要を通信するステップと、
（ｃ）電子モジュール３００において、更新が、装置１００に格納された第２データセットを第１データセットに整合させることを必要とするか否かを決定するステップと、
（ｄ）第１データセットに従って第２データセットを更新することが必要とされるとき、更新される必要のあるこれらのデータのアイテムを識別するステップと、
（ｅ）少なくとも部分的にメモリストレージ１３０に格納された第２データセットを更新するために、又はユーザを変更するために、サーバ２０からノード３０ａを介して装置１００にデータを伝送するステップと、
を有する同期の方法で起きる。
【００４７】
同期は、装置１００からネットワーク１０までに、
（ｆ）サーバ２０に格納された第１データセットを更新する必要があるか否かを決定するために、情報をシステムに伝送するステップと、
（ｇ）ネットワーク１０からＲＦタグ１５０に更新の必要を通信するステップと、
（ｈ）電子モジュール３００において、更新が、ネットワーク１０に格納された第１データセットを、装置１００に格納された第２データセットに従わせることを必要とするか否か決定するステップと、
（ｉ）第２データセットに従う第１データセットの更新が必要とされるとき、更新される必要のあるこれらのアイテムのデータを識別するステップと、
（ｊ）サーバ２０に格納された第１データセットを更新するために、装置１００からノード３０ａを介してサーバ２０にデータを送信するステップと、
を有する同期の方法で生じ得る。
【００４８】
装置１００とシステム１０との間の選択的な同期は、このような関連した同期を効果的に監督するＲＦタグ１５０により、双方向的な態様で同時に起こり得る。
【００４９】
選択的に、装置１００は、同期により更新される必要のあるデータオブジェクトの優先順位リストを閲覧者２００に見せるように構成することができ、いくつかのデータオブジェクトは、同期の必要性に関する各々の相互の優先順位を示すデータフィールドを有益には含む。どのような順序でいつネットワーク１０と装置１００との間の同期が実行されるかを決定するために、このような優先順位の中で選択するオプションは、例えばディスプレイ１２０及びデータ入力１４０を介して、装置１００上でユーザ２００に提供される。第１データセットと第２データセットとを少なくとも部分的に同期するように同期の機能を実行するために、装置１００の利用可能なエネルギーの表示がユーザ２００に有益に提供される。
【００５０】
上述の本発明の実施例が、請求項により規定されるような本発明の範囲から逸脱することなしに、修正されることを受け入れられるということは、理解されるだろう。
【００５１】
添付する請求項では、括弧内に含まれる数字及び他の記号は、請求項の理解を補助するために含まれ、いかなる態様でも請求項の範囲を制限することを意図されない。
【００５２】
「有する」、「含む」、「組み込む」、「含有する」、「である」及び「もつ」というような表現は、明細書及び関連する請求項を解釈するとき、すなわち、明らかに規定されていない他のアイテム又はコンポーネントが提示されることを可能にするように解釈されるとき、非排他的な態様で解釈されるべきである。単数の表記は、複数の表記とも解釈されるべきであり、逆も同様である。
【図面の簡単な説明】
【００５３】
【図１】図１は、本発明によるシステムの描写であり、データの自動同期が該システムの動作時に起きる。
【図２】図２は、図１のシステムの一部を形成する携帯用装置に関連付けられた無線周波数（ＲＦ）タグの描写である。
【図３】図３は、図２の無線周波数（ＲＦ）タグを含む光データ担体の描写である。
【図１】
2008536344.tif 000003
【図２】
2008536344.tif 000004
【図３】
2008536344.tif 000005
【国際調査報告】
2008536344.tif 000006
2008536344.tif 000007
2008536344.tif 000008